(57)【要約】【課題】建築物への遮蔽装置の据え付け作業時にガイド部材がコードゲートから脱落することを防ぐことができるコードゲートを提供する。【解決手段】  本発明によれば、コードが挿通されるコード挿通部を有するヘッドボックスに取着され且つ前記ヘッドボックスからの前記コードの出口となるコードゲートであって、前記コードゲートは、前記コードを案内するガイド部材と、コードゲート本体と、前記コードゲートが前記ヘッドボックスに装着された状態で前記コードゲート本体と前記ヘッドボックスの間に保持される係止部材とを備え、前記ガイド部材は、前記コードゲート本体と前記係止部材の間に挟まれるように支持される、コードゲートが提供される。【選択図】図３
2015132140.tif 000002
【特許請求の範囲】
【請求項１】
コードが挿通されるコード挿通部を有するヘッドボックスに取着され且つ前記ヘッドボックスからの前記コードの出口となるコードゲートであって、
前記コードゲートは、前記コードを案内するガイド部材と、コードゲート本体と、前記コードゲートが前記ヘッドボックスに装着された状態で前記コードゲート本体と前記ヘッドボックスの間に保持される係止部材とを備え、
前記ガイド部材は、前記コードゲート本体と前記係止部材の間に挟まれるように支持される、コードゲート。
【請求項２】
前記コードゲート本体と前記係止部材の間に、前記ガイド部材の支軸を支持する支軸支持部が形成される、請求項１に記載のコードゲート。
【請求項３】
前記係止部材は、前記コード挿通部に挿入可能な本体部と、前記本体部から突出するように設けられた突出部とを備え、前記突出部は、前記ガイド部材が前記ヘッドボックス内に押し込まれたときに前記ヘッドボックスの外面に当接するように構成される、請求項１又は請求項２に記載のコードゲート。
【請求項４】
前記係止部材は、前記コードゲートが前記ヘッドボックスに装着された状態で、前記突出部が前記ヘッドボックスの外面に当接するように保持される、請求項３に記載のコードゲート。
【請求項５】
コードが挿通されるコード挿通部を有するヘッドボックスと、前記ヘッドボックスに取着され且つ前記コードの出口となるコードゲートを備え、
前記コードゲートは、請求項１〜請求項４の何れか１つに記載のコードゲートである、遮蔽装置。
【請求項６】
コード挿通部を有するヘッドボックスと、前記ヘッドボックス内に収容され且つ回転によって遮蔽材を昇降させる駆動軸と、操作プーリーの回転によって前記駆動軸を回転させる操作部ユニットと、前記コード挿通部を通り且つ前記操作プーリーに掛装される操作コードと、前記ヘッドボックスからの前記操作コードの出口となるコードゲートを備え、
前記コードゲートは、請求項１〜請求項４の何れか１つに記載のコードゲートである、遮蔽装置。
【発明の詳細な説明】
【技術分野】
【０００１】
この発明は、ヘッドボックスに設けられたコード挿通部を通るコードを用いて遮蔽材の開閉を行う遮蔽装置において利用可能なコードゲート、及びこのようなコードゲートを備える遮蔽装置に関する。遮蔽装置としては、横型ブラインド、たくし上げカーテン、プリーツスクリーン、ロールアップスクリーン、縦型ブラインド、カーテンレール、アコーディオンカーテン、縦型プリーツスクリーン、縦型ロールスクリーン、パネルカーテン等が例示される。
【背景技術】
【０００２】
横型ブラインドなどの遮蔽装置においては、ヘッドボックスから吊り下げられる遮蔽材の下部に設けられたボトムレールに昇降コードの一端が取着され、昇降コードの他端が巻取軸に取着され、巻取軸を回転させることによって、昇降コードの巻取り及び巻戻しを行って、遮蔽材を昇降させる。このような遮蔽装置では、ヘッドボックスに回転可能に支持された操作プーリーに操作コードを掛装し、この操作コードを操作することによって操作プーリーを回転させ、その回転を巻取軸に伝達することによって巻取軸を回転させている。
特許文献１では、ヘッドボックスに設けられた開口部にコードゲートを取着し、このコードゲートに取り付けられたガイドローラを介して操作コードをヘッドボックス外に案内することによって、操作コードの摩耗を防いでいる。
【先行技術文献】
【特許文献】
【０００３】
【特許文献１】特開平６−１４６７５４号公報
【発明の概要】
【発明が解決しようとする課題】
【０００４】
特許文献１では、その図２に示すように、下部ガイドローラ１９は、コードゲート１３の側壁１８に設けられた溝状の凹部に係合されることによって支持されている。このような支持方法で通常の動作時には問題が生じない。しかし、特許文献１と同様の構成を有するコードゲートを用いた遮蔽装置を建築物に据付する作業を多数行っていると、設置時に下部ガイドローラ１９が意図せずして外れてしまう問題が生じる場合があることが分かった。
【０００５】
本発明はこのような事情に鑑みてなされたものであり、建築物への遮蔽装置の据え付け作業時にガイド部材がコードゲートから脱落することを防ぐことができるコードゲートを提供するものである。
【課題を解決するための手段】
【０００６】
本発明によれば、コードが挿通されるコード挿通部を有するヘッドボックスに取着され且つ前記ヘッドボックスからの前記コードの出口となるコードゲートであって、前記コードゲートは、前記コードを案内するガイド部材と、コードゲート本体と、前記コードゲートが前記ヘッドボックスに装着された状態で前記コードゲート本体と前記ヘッドボックスの間に保持される係止部材とを備え、前記ガイド部材は、前記コードゲート本体と前記係止部材の間に挟まれるように支持される、コードゲートが提供される。
【０００７】
本発明者は、コードゲートからガイドローラが脱落してしまう原因について検討していたところ、ガイドローラがコードゲートの側壁に設けられた溝状の凹部に係合されているために、作業者が据え付け作業時に、ヘッドボックスの前面側からガイドローラに対して意図せずしてヘッドボックス内に押し込む方向に力を加えてしまうと、ガイドローラが比較的容易にコードゲートから外れてしまうことに気がついた。
そして、この知見に基づき、コードゲート本体と係止部材の間に、コードを案内するガイド部材を挟んで支持した上で、係止部材をコードゲート本体とヘッドボックスの間に配置する構成を思いついた。このような構成によれば、ガイド部材がヘッドボックスの前面側から押されたときには、係止部材がヘッドボックスの外面に当接することによって、ガイド部材がヘッドボックス内に押し込まれることが防止される。
【０００８】
以下、本発明の種々の実施形態を例示する。以下に示す実施形態は互いに組み合わせ可能である。
好ましくは、前記コードゲート本体と前記係止部材の間に、前記ガイド部材の支軸を支持する支軸支持部が形成される。
好ましくは、前記係止部材は、前記コード挿通部に挿入可能な本体部と、前記本体部から突出するように設けられた突出部とを備え、前記突出部は、前記ガイド部材が前記ヘッドボックス内に押し込まれたときに前記ヘッドボックスの外面に当接するように構成される。
好ましくは、前記係止部材は、前記コードゲートが前記ヘッドボックスに装着された状態で、前記突出部が前記ヘッドボックスの外面に当接するように保持される。
【０００９】
また、本発明は、コードが挿通されるコード挿通部を有するヘッドボックスと、前記ヘッドボックスに取着され且つ前記コードの出口となるコードゲートを備え、前記コードゲートは、上記記載のコードゲートである、遮蔽装置を提供するものである。
【００１０】
さらに、本発明は、コード挿通部を有するヘッドボックスと、前記ヘッドボックス内に収容され且つ回転によって遮蔽材を昇降させる駆動軸と、操作プーリーの回転によって前記駆動軸を回転させる操作部ユニットと、前記コード挿通部を通り且つ前記操作プーリーに掛装される操作コードと、前記ヘッドボックスからの前記操作コードの出口となるコードゲートを備え、前記コードゲートは、上記記載のコードゲートである、遮蔽装置を提供するものである。
【図面の簡単な説明】
【００１１】
【図１】本発明の第１実施形態の横型ブラインドを示し、（ａ）〜（ｂ）は正面図、（ｃ）は右側面図である。（ｂ）はヘッドボックス１の前壁を取り除いた状態を示し、（ｃ）はボックスキャップ２１を外した状態を示す。
【図２】（ａ）は、操作部ユニット６、コードゲート１５及び操作コード７を示す斜視図であり、（ｃ）は（ａ）の分解図であり、（ｂ）及び（ｄ）は、（ａ）及び（ｃ）中のコードゲート１５の幅方向の中央を通る断面図であり、（ｅ）は、ヘッドボックス１内でのコードゲート１５と操作部ユニット６の係合状態を示す右側面図である。
【図３】（ａ）は、本発明の第１実施形態のコードゲート１５の分解斜視図であり、（ｂ）は（ａ）中のコードゲート本体３１を別の角度から見た斜視図である。
【図４】図３（ａ）の状態から、ガイド部材３３がコードゲート本体３１に装着された状態を示す分解斜視図である。
【図５】図４の状態から、係止部材３４がコードゲート本体３１に装着された状態を示し、（ａ）は斜視図、（ｂ）はコードゲート本体３１の支軸支持溝３１ｅを通る断面図である。
【図６】図５のコードゲート１５がヘッドボックス１に装着される前の状態を示す斜視図である。
【図７】（ａ）〜（ｂ）は、図６の状態から、コードゲート１５がヘッドボックス１に装着された後の状態を示す斜視図である。
【図８】（ａ）は、図７（ａ）の状態からコードゲート本体３１を取り除いた状態を示す斜視図であり、（ｂ）は、コードゲート１５がヘッドボックス１に装着された状態での、コードゲート本体３１の突起３１ｐを通る断面図である。
【図９】本発明の第２実施形態のコードゲート１５のガイド部材３３によって昇降コード５が案内されている状態を示す、図２（ｄ）に対応する図である。
【発明を実施するための形態】
【００１２】
以下、本発明の実施形態について説明する。以下に示す実施形態中で示した各種特徴事項は、互いに組み合わせ可能である。また、各特徴について独立して発明が成立する。
【００１３】
１．第１実施形態
図１に示す遮蔽装置としての横型ブラインドは、ヘッドボックス１から垂下される複数本のラダーコード２を介して遮蔽材としての多数段のスラット３が吊下支持され、同ラダーコード２の下端にボトムレール４が吊下支持される。
【００１４】
ラダーコード２の近傍において、ヘッドボックス１から複数本の昇降コード５が垂下され、中央の昇降コード５は、スラット３の手前側（部屋内側）に垂下され、両端の昇降コード５は、スラット３の奥側（部屋外側）に垂下される。昇降コード５はその上端部がヘッドボックス１内に配設される巻取軸９に巻着され、下端部が前記ボトムレール４に接続されている。
【００１５】
昇降コード５は、巻取軸９の回転に基づいて、巻き取り或いは巻き戻しが行われており、この回転に基づいてボトムレール４及びスラット３が昇降される。また、巻取軸９の回転に基づいて、ラダーコード２を介して各スラット３が同位相で角度調節される。尚、各スラット３は略垂直方向まで回動されると、それ以上回動されないようになっている。巻取軸９は、サポート部材１１に回転可能に支持され、サポート部材１１は、ヘッドボックス１に着脱可能に固定される。
【００１６】
ヘッドボックス１の右端よりも幅方向中央側の位置には操作部ユニット６が設けられ、ループ状の操作コード７の操作に基づいてヘッドボックス１の内部に収容された駆動軸８を回転駆動可能であり、駆動軸８の回転に基づいて巻取軸９が回転される。
【００１７】
ヘッドボックス１の右端に近い位置と左端に近い位置にはそれぞれコード挿通部１３が設けられており、右側のコード挿通部１３では、コードゲート１５を通じて操作コード７がヘッドボックス１の外に導き出されている。また、左側のコード挿通部１３は、後述するように、操作部ユニット６をヘッドボックス１の左側に移動させる際に使用するものであり、使用しないときは図１（ａ）に示すように、目隠しキャップ１７で塞がれている。ヘッドボックス１の両端は、ボックスキャップ２１で塞がれている。
【００１８】
以下、操作部ユニット６及びコードゲート１５について詳細に説明する。
図１〜図２に示すように、操作部ユニット６は、操作プーリー６ａを備え、操作プーリー６ａには操作コード７が掛装される。操作プーリー６ａは、ケースキャップ６ｂとギヤケース６ｃの間に回転可能に支持される。操作コード７を操作して操作プーリー６ａを回転させると、その回転がギヤケース６ｃとエンドキャップ６ｄの間に収容された伝達ギヤを通じて駆動軸８に伝達される。
【００１９】
図２（ｅ）に示すように、ヘッドボックス１は、前壁１ａ及び後壁１ｂのそれぞれから前後方向の中央に向かって延びる前側突出壁１ｃ及び後側突出壁１ｄを備え、操作部ユニット６は、底壁１ｅ、前壁１ａ、後壁１ｂ、前側突出壁１ｃ及び後側突出壁１ｄによって囲まれる空間にスライド移動可能に収容される。
【００２０】
図２に示すように、コードゲート１５は、コードゲート本体３１と、コード分け３２と、ガイド部材３３と、係止部材３４とを備える。コード分け３２は、左右対称形状であり、幅方向両側に突起３２ａを有する。この突起３２ａをコードゲート本体３１の上下方向の略中央に設けられた支軸支持溝３１ｄに係合させることによって、コード分け３２がコードゲート本体３１に取り外し可能に係合される。操作プーリー６ａの上側出口からの操作コード７ｕは、コード分け３２と、コードゲート本体３１の上部案内壁３１ｆの間を通り、操作プーリー６ａの下側出口からの操作コード７ｂは、コード分け３２とガイド部材３３の間を通る。このように、操作コード７ｕ，７ｂが、コード分け３２によって、上下に分離される。なお、操作コード７ｕ，７ｂは、区別の必要がない場合は、「操作コード７」と称する。
【００２１】
ここで、図３〜図５を用いて、コードゲート本体３１と、ガイド部材３３と、係止部材３４の構成について、詳細に説明する。ガイド部材３３は、支軸３３ｋと、支軸３３ｋに対して回転可能に支持される滑車３３ｌとで構成される。支軸３３ｋの長さは、滑車３３ｌの幅よりも長くなっているので、支軸３３ｋが滑車３３ｌからはみ出し、図４に示すように、支軸３３ｋがコードゲート本体３１の下部に設けられた支軸支持溝３１ｅに収容される。なお、ガイド部材３３は、ガイドピンのように滑車を備えないものであってもよい。
【００２２】
係止部材３４は、図４に示すように、一対の側壁３４ｎと、これらの側壁を連結するブリッジ部３４ｑとで構成される本体部を備える。各側壁３４ｎには係止部材３４の幅方向外側に突出する突出部３４ｏが設けられている。ブリッジ部３４ｑの幅方向の両端の下部には係合凸部３４ｒが設けられ、係合凸部３４ｒの先端には丸め面３４ｓが形成されている。係合凸部３４ｒよりも係止部材３４の幅方向のやや内側には凹曲面３４ｍが設けられており、図５（ｂ）に示すように、係止部材３４をコードゲート本体３１に係合させた状態において、支軸支持溝３１ｅと凹曲面３４ｍによって、支軸３３ｋを取り囲んで支持する支軸支持部が形成される。
【００２３】
また、図４に示すように、コードゲート本体３１は、内側壁３１ａと外側壁３１ｂからなる二重側壁構造を有しており、内側壁３１ａと外側壁３１ｂの間に、係止部材３４の側壁３４ｎと突出部３４ｏを収容するポケット３１ｓが設けられている。さらに、コードゲート本体３１の下部突出片３１ｉの上面には係合凸部３４ｒと係合する係合凹部３１ｔが設けられており、丸め面を有する突起３１ｕが係合凹部３１ｔに向かって設けられている。
【００２４】
係止部材３４をコードゲート本体３１に係合させる際には、側壁３４ｎ及び突出部３４ｏをポケット３１ｓ内に収容させながら、係合凸部３４ｒを係合凹部３１ｔ内に収容する。係合凸部３４ｒの前後方向の長さは、係合凹部３１ｔの前後方向の長さと実質的に等しくなっており、係合凸部３４ｒの丸め面３４ｓが突起３１ｕを乗り越えるように、係合凸部３４ｒを係合凹部３１ｔ内に押し込むことによって、図５に示すように、係止部材３４がコードゲート本体３１に係合される。この状態では、外側壁３１ｂの前面（ヘッドボックス１に対向する面）と、突出部３４ｏの前面が同一面になっている。従って、図７に示すように、コードゲート１５をヘッドボックス１に装着した状態では、コードゲート本体３１の外側壁３１ｂと係止部材３４の突出部３４ｏの両方がヘッドボックス１の外面に接触する。また、図７の状態では、ガイド部材３３は、支軸３３ｋがヘッドボックス１の幅方向に対して略平行になるように支持される。
【００２５】
次に、コードゲート１５をヘッドボックス１に装着する方法について説明する。
図２及び図６に示すように、コードゲート本体３１は、下部突出片３１ｉの先端に下部係合溝３１ｈを備え、セットピン挿通孔３１ｇを上部に備えており、図２（ｂ）及び図６〜図７に示すように、コード挿通部１３の底壁前端１３ａに下部係合溝３１ｈを係合させ、且つセットピン挿通孔３１ｇをヘッドボックス１内に突出させた状態で、ヘッドボックス１内においてセットピン１９をセットピン挿通孔３１ｇに挿通させることによって、コードゲート１５の一部がヘッドボックス１の外側にはみ出した状態でコードゲート１５がヘッドボックス１に装着される。下部係合溝３１ｈの上側には、コードゲート本体３１の幅方向外側に突出する突起３１ｐが設けられており、コードゲート１５に下向きの荷重が加わった際に突起３１ｐがヘッドボックス１の底壁１ｅの上面に当接することによって、下向きの荷重に対するコードゲート１５の強度が高められる。また、この状態では、図８に示すように、係止部材３４の突出部３４ｏがヘッドボックス１の外面に当接しているので、ガイド部材３３をヘッドボックス１内に強い力で押し込もうとしても、突出部３４ｏがヘッドボックス１の外面に当接してガイド部材３３を押し込むことができない。なお、係止部材３４は、ガイド部材３３が押し込まれていない状態ではヘッドボックス１の外面に接触していなくてもよい。例えば突出部３４ｏとヘッドボックス１の外面の間に隙間がある状態で、係止部材３４がヘッドボックス１とコードゲート本体３１の間に保持されてもよい。この場合は、ガイド部材３３がヘッドボックス１内に押し込まれると、係止部材３４がいくらかは移動可能であるので、ガイド部材３３をその分だけ押し込むことが可能であるが、係止部材３４が移動してその突出部３４ｏがヘッドボックス１の外面に当接した時点で、それ以上、ガイド部材３３を押し込むことができないので、ガイド部材３３が外れることを防ぐことができる。この場合、ガイド部材３３に加わる外力が除かれたとき、重力などの作用によってガイド部材３３が元の位置に復帰するように構成することが好ましい。
以上より、本実施形態のコードゲート１５を用いると、建築物への遮蔽装置の据え付け作業時にガイド部材３３がコードゲート１５から脱落することを防ぐことができる。
【００２６】
なお、下部係合溝３１ｈを底壁前端１３ａに係合させた状態では、図２（ａ）、（ｃ）、（ｅ）に示すように、コードゲート本体３１の下部突出片３１ｉは、ケースキャップ６ｂの下部リブ６ｂ３とギヤケース６ｃの下部リブ６ｃ３の間に挟まれる。この状態では、下部突出片３１ｉが下部リブ６ｂ３，６ｃ３と干渉して、操作部ユニット６のスライド移動が不能になり、操作部ユニット６の位置が安定して固定される。
【００２７】
２．第２実施形態
上記実施形態では、ヘッドボックス１からの操作コード７の出口となる位置にコードゲート１５を設け、ガイド部材３３は、操作コード７を案内するために利用したが、本発明のコードゲート１５は、ヘッドボックス１から引き出される種々のコードに対して適用可能である。例えば、ヘッドボックス１の前面に設けたコード挿通部１３から昇降コード５を垂下させるタイプの遮蔽装置においては、そのコード挿通部１３にコードゲート１５を装着し、図９に示すように、ガイド部材３３で昇降コード５を案内することが可能である。そして、このような用途においても、建築物への遮蔽装置の据え付け作業時にガイド部材３３がコードゲート１５から脱落しやすいという課題が存在しており、第１実施形態と同様の効果が得られる。
【００２８】
また、本発明は、横型ブラインドに限らず、ヘッドボックス１から引き出されるコードを操作側又は遮蔽材側に用いて遮蔽材の開閉が行われる種々の遮蔽装置に適応可能である。操作側のコードの例は、操作コードであり、遮蔽材側のコードの例は、昇降コードである。このような遮蔽装置としては、たくし上げカーテン、プリーツスクリーン、ロールアップスクリーン、縦型ブラインド、カーテンレール、アコーディオンカーテン、縦型プリーツスクリーン、縦型ロールスクリーン、パネルカーテン等が例示される。
【符号の説明】
【００２９】
１：ヘッドボックス
５：昇降コード
６：操作部ユニット
７：操作コード
８：駆動軸
１３：コード挿通部
１５：コードゲート
３１：コードゲート本体
３２：コード分け
３３：ガイド部材
３４：係止部材
【図１】
2015132140.tif 000003
【図２】
2015132140.tif 000004
【図３】
2015132140.tif 000005
【図４】
2015132140.tif 000006
【図５】
2015132140.tif 000007
【図６】
2015132140.tif 000008
【図７】
2015132140.tif 000009
【図８】
2015132140.tif 000010
【図９】
2015132140.tif 000011